(57)【要約】【課題】  低コストで施工でき、防臭・調湿機能に優れた床下収納空間を提案する。【解決手段】  地盤強化体１１で周囲側方を囲まれ、住宅の床下から地下にかけて形成された床下収納空間１０であって、壁面１３、天井面１４、床面１２等の少なくとも一部が、酸化チタン等の光触媒粒子を表面に担持した仕上層で内装されているとともに、仕上層に光を照射する光照射手段たるダウンライト１４ａ、フットライト１６ａを備える。仕上層は、光触媒粒子を表面に担持した竹炭や珪藻土等の多孔体層を含むものであることが望ましい。【選択図】      図２
2005188106.tif 000002
【特許請求の範囲】
【請求項１】
住宅の基礎に囲まれる地盤を掘削して掘削面に仕上を施すことにより、該住宅の床下から地下にかけて形成された床下収納空間であって、
表面に光触媒粒子を担持した仕上層で内装されているとともに、
前記仕上層に光を照射する光照射手段を備える、
ことを特徴とする床下収納空間。
【請求項２】
地盤強化体で周囲側方を囲まれ、住宅の床下から地下にかけて形成された床下収納空間であって、
表面に光触媒粒子を担持した仕上層で内装されているとともに、
前記仕上層に光を照射する光照射手段を備える、
ことを特徴とする床下収納空間。
【請求項３】
前記仕上層が、表面に前記光触媒粒子を担持した多孔体層を含む、
ことを特徴とする請求項１又は請求項２に記載の床下収納空間。
【発明の詳細な説明】
【技術分野】
【０００１】
本発明は、住宅の床下から地下にかけて形成される床下収納空間に関し、特に、防臭・調湿機能に優れた床下収納空間に関する。
【背景技術】
【０００２】
都市部の住宅では、収納率が不足しがちであるため、小屋裏や中間階（中二階や、一階の天井と二階の床との間）を利用した収納スペースが形成されることが多い。ところが、このような小屋裏や中間階を利用した収納スペースは住宅の上部に位置するので、特に重量物の出し入れが大変であり、また、火災や地震等の災害時に収納物の焼失、損壊等の被害を受けやすいという欠点がある。
【０００３】
一方、地下室は、住宅の下部に位置するので、重い物であっても出し入れが比較的容易で、収納物が焼失、損壊しにくく、さらに温湿度等の収納環境が安定しているという利点があるが、地盤掘削や躯体構築のためのコストが高いという欠点がある。
【０００４】
この点、特許文献１に開示された床下収納室は、掘削形状を工夫して掘削容積をできるだけ小さくしたものであり、比較的低コストで施工可能となっている。
【特許文献１】登録実用新案第３０６９４４１号公報（［０００４］−［００１４］，図３）
【発明の開示】
【発明が解決しようとする課題】
【０００５】
しかしながら、特許文献１に開示された床下収納室は、躯体構築のために、配筋、型枠建込、コンクリート打設、養生、型枠解体、埋め戻し等の煩雑な工程を経るので、依然としてコストや手間が嵩むという問題がある。
また、室内が高湿度になって結露やカビが発生しやすく、さらに、周囲の地盤に含浸している地盤改良剤や内装の仕上コンクリートから発生するセメント臭、室内で保存されている漬物、ジャム等から発生する食品臭等が室内で充満してしまうという問題もある。
【０００６】
本発明は、かかる事情に鑑みてなされたものであり、その目的とするところは、低コストで施工でき、しかも防臭・調湿機能に優れた床下収納空間を提案する点にある。
【課題を解決するための手段】
【０００７】
すなわち、請求項１に係る発明は、住宅の基礎に囲まれる地盤を掘削して掘削面に仕上を施すことにより、該住宅の床下から地下にかけて形成された床下収納空間であって、光触媒粒子を表面に担持した仕上層で内装されているとともに、前記仕上層に光を照射する光照射手段を備える、ことを特徴とする。
【０００８】
かかる床下収納空間は、地盤のせん断抵抗角を冒さないように掘削する等の適宜の工夫を施した上で、掘削面に仕上を施しただけの単純な構造であるので、鉄筋コンクリート等の躯体で土圧に対抗する従来の地下室に比べて、大幅に低いコストで施工可能である。
また、光触媒粒子を表面に担持した仕上層を内装の少なくとも一部に備えるとともに、この仕上層に光を照射する光照射手段を備えるので、光触媒粒子の強い酸化還元作用によって空気中の悪臭が分解され、良好な空気環境が半永久的に維持される。
なお、本発明における「基礎」は構造的に布基礎であることを要するが、このような布基礎のベース部分を連続させたいわゆるフルベース基礎も含まれる。
【０００９】
請求項２に係る発明は、地盤強化体で周囲側方を囲まれ、住宅の床下から地下にかけて形成された床下収納空間であって、光触媒粒子を表面に担持した仕上層で内装されているとともに、前記仕上層に光を照射する光照射手段を備える、ことを特徴とする。
【００１０】
かかる床下収納空間は、周囲側方を囲んでいる地盤強化体で土圧に対抗する構造であるので、鉄筋コンクリート等の躯体で土圧に対抗する従来の地下室に比べて、大幅に低いコストで施工可能である。
また、光触媒粒子を表面に担持した仕上層を内装の少なくとも一部に備えるとともに、この仕上層に光を照射する光照射手段を備えるので、光触媒粒子の強い酸化還元作用によって空気中の悪臭が分解され、良好な空気環境が半永久的に維持される。
【００１１】
請求項３に係る発明は、請求項１又は請求項２に記載の床下収納空間において、前記仕上層が、前記光触媒粒子を表面に担持した多孔体層を含む、ことを特徴とする。
【００１２】
このように光触媒粒子が多孔体に担持されていると、空気中の悪臭の原因分子がまず多孔体の細孔内にトラップされるので、より確実な悪臭分解効果が期待できる。また、多孔体の細孔内に空気中の水蒸気が吸着されることによる調湿効果も期待できる。
【発明の効果】
【００１３】
本発明に係る床下収納空間は、掘削面に仕上を施しただけの単純な構造あるいは周囲側方を囲んでいる地盤強化体で土圧に対抗する構造であるので、鉄筋コンクリート等の躯体で土圧に対抗する従来の地下室に比べて、極めて低いコストで施工可能である。
また、光触媒粒子を表面に担持した仕上層を内装の少なくとも一部に備えるとともに、この仕上層に光を照射する光照射手段を備えるので、光触媒粒子の強い酸化還元作用によって空気中の悪臭が分解され、良好な空気環境が半永久的に維持される。
さらに、光触媒粒子が多孔体に担持されている場合には、より確実な悪臭分解効果と調湿効果も期待できる。
【発明を実施するための最良の形態】
【００１４】
以下、添付図面を参照して、本発明の実施の形態を詳細に説明する。なお、説明において、同一要素には同一符号を用い、重複する説明は省略する。
【００１５】
図１は本発明に係る床下収納空間の第一実施形態を表す斜視図であり、図２は図１の縦断面図である。これらの図に示すように床下収納空間１０は、地盤Ｇを掘削することにより、住宅の一階の床下から地下にかけての高さ領域と、周囲側方を地盤強化体１１で囲まれた平面領域に形成されている。地盤強化体１１は、平面視連続環状に形成された壁状体であり、望ましくは少なくとも一部が住宅の基礎Ｂの下方に位置し、基礎Ｂを下から支持するものである。地盤強化体１１は、地盤Ｇ自体に手を加えることによりその強度を高めたものであり、具体的には、薬液等によって土壌の置換、固結、補強等を行った地盤改良体や、通常よりも径の大きな玉石や砕石を含んだラップルコンクリート（粗石コンクリート）等である。このように床下収納空間１０は、地盤強化体１１で土圧や鉛直荷重に対抗する構造であるので、ＲＣ躯体で構築される地下室に比べて極めて低いコストで施工可能である。地盤強化体１１の外側面、内側面にはそれぞれ第一の防水シート２０、第二の防水シート３０が配置されている。なお、床下収納空間１０は、基礎Ｂの真下の地盤強化体１１の下端辺から地盤Ｇのせん断抵抗角φで延びるせん断面Ｓの上方に位置するように形成されているので、掘削中に掘削面が崩壊したり完成後に基礎Ｂが沈下したりすることがなく、構造的に安定している。
【００１６】
床下収納空間１０は、床面１２、壁面１３、天井面１４、排水ピット１５、展示台１６、梯子１７等を備えている。
床面１２は、ここでは地盤強化体１１’の上にモルタルで仕上を施して形成されている。床面１２の略中央部には排水ピット１５が形成されており、この排水ピット１５には蓋１５ａが被せられている。蓋１５ａは着脱自在であり、その上面は床面１２と同一高さとなっている。
【００１７】
壁面１３は地盤強化体１１の内側面や基礎Ｂの内側面に、光触媒粒子を担持する仕上層を施したものである。仕上層は、たとえば酸化チタン、酸化亜鉛、チタン酸ストロンチウム、酸化錫、酸化バナジウム、酸化タングステン等の光触媒粒子を、たとえば石膏ボード、ビニールクロス、パーティクルボード、コンクリートパネル等の内装材の表面に担持させたものである。光触媒粒子は、有機バインダー又は無機バインダーで内装材の表面に固定してもよいし、光触媒粒子をゾルゲル法等により内装材の表面に薄膜状にコーティングしてもよい。さらに、内装材の表面に多孔体層を形成するか、あるいは、内装材自体を多孔体層で形成しておき、多孔体層の表面に光触媒粒子を担持させることが特に望ましい。多孔体としては、たとえば竹炭、木炭、発泡セラミック、ケイ酸カルシウム、珪藻土、ゼオライト等を挙げることができる。
【００１８】
天井面１４は、住宅の一階の床躯体Ｆの下面に適宜の仕上（ここでは防水石膏ボード）を施したものである。床躯体Ｆには、住宅の一階から床下収納空間１０内に出入りするための開閉自在な出入口Ｆａが形成されている。床面１２から天井面１４までの高さは１４００ｍｍ以内であることが望ましく、蓋１５ａを取り外した排水ピット１５の底面から天井面１４までの高さは１７００ｍｍ程度であることが望ましい。
また、天井面１４には、光照射手段としてのダウンライト１４ａが設置されている。ダウンライト１４ａは、主として床下収納空間１０内を明るくする照明器具としての役割を果たすものであるが、壁面１３に光（特に紫外線）を照射する役割も果たしている。
【００１９】
展示台１６は、その上に様々な物を展示、陳列するための台であって、地盤改良体やコンクリート、ＣＢ等を用いて、床面１２と壁面１３とが交差する入隅部に沿って高さ３００ｍｍ程度奥行４５０ｍｍ程度に形成されている。
また、展示台１６の側面には、光照射手段としてのフットライト１６ａが設置されている。フットライト１６ａは、主として床下収納空間１０内の特に足元近傍を明るくする照明器具としての役割を果たすものであるが、壁面１３に光（特に紫外線）を照射する役割も果たしている。
梯子１７は出入口Ｆａと床面１２とを結ぶように取り外し自在に設置されている。
【００２０】
このような床下収納空間１０では、光照射手段たるダウンライト１４ａやフットライト１６ａ等から照射された光（紫外線）が壁面１３の表面の光触媒粒子に照射される。すると、光触媒粒子の表面から電子が飛び出して、光触媒粒子の表面にプラス電荷を帯びた正孔（ホール）が形成される。この正孔は強い酸化力をもち、空気中のＯＨ-（水酸化物イオン）等から電子を奪うので、電子を奪われたＯＨ-は非常に不安定な状態のＯＨラジカルとなる。ＯＨラジカルは強力な酸化力をもつので、空気中の悪臭の原因となる有機物から電子を奪って自身が安定化しようとする。そして、電子を奪われた有機物は分解され、最終的に二酸化炭素や水として発散する。したがって、光触媒の抗菌、防雨等のその他の機能も併せ、床下収納空間１０の内部では、半永久的に良好な空気環境が維持される。特に、光触媒粒子が多孔体層の表面に担持されている場合には、空気中の悪臭の原因たる分子がまず多孔体の細孔内にトラップされるので、より確実な悪臭分解効果が期待できるとともに、多孔体の細孔内に空気中の水蒸気が吸着されるという調湿効果も期待でき、より良好な空気環境を得ることができる。
【００２１】
なお、本実施形態では光触媒粒子が壁面１３の全面に一様に固定されているが、光触媒粒子を壁面１３の一部のみに固定するようにしてもよい。また、光触媒粒子は床下収納空間１０の内面であれば、壁面１３に限らず、天井面１４や床面１２等に固定してもよい。光照射手段の種類や設置位置も、本実施形態に限定されるものではなく、光触媒粒子の種類や固定位置等に応じて適宜定めればよい。
【００２２】
続いて、この床下収納空間１０の施工方法の一例を説明する。
図３（ａ）に示すように、地盤強化体１１を形成する予定位置の下方の地盤部分をｇ１、当該地盤部分に周囲側方を囲まれ、床下収納空間１０の主要部となる予定位置の地盤部分をｇ２とすると、ここでは地盤部分ｇ１を掘削（溝掘り）して、そこに地盤強化体１１を形成した後に、地盤部分ｇ２を掘削することが特徴的である。
【００２３】
まず第一工程では、図４（ａ）に示すように、地盤強化体１１を形成する予定位置の下方の地盤を平面視連続環状に掘削（溝掘り）して溝孔ｘ１を形成する。このとき必要があれば、適宜の土留めを行う。地盤部分ｇ２は掘削しない。
【００２４】
第二工程では、図４（ｂ）に示すように、溝孔ｘ１の外側溝壁ｘ１ａに沿って第一の防水シート２０を配置する。
【００２５】
第三工程では、図４（ｃ），図５（ａ），（ｂ）に示すように、溝孔ｘ１内に地盤強化体１１を形成する。
つまり、図４（ｃ）に示すように、まず溝孔ｘ１内に所定高さで地盤強化体１１ａを積層形成する。なお、地盤強化体１１ａの上面は、内側から外側に向かって緩やかに低くすることが望ましい。
次に、図５（ａ）に示すように、第一の防水シート２０を内側に倒して地盤強化体１１ａの上面に横断部２１として敷き込み、さらに溝孔ｘ１の内側溝壁ｘ１ｂに沿って立ち上げる。
そして、図５（ｂ）に示すように、第一の防水シート２０の水平配置部２１の上に養生マット２２を敷き込み、さらにその上に積層するように、掘削空間ｘ１に所定高さで地盤強化体１１ｂを形成する。
以上のようにして、溝孔ｘ１内に地盤強化体１１を形成する。
【００２６】
第四工程では、図５（ｃ）に示すように、地盤強化体１１で周囲側方を囲まれた領域の地盤部分ｇ２を掘削して、掘削空間ｘ２を形成する。このとき、既に周囲側方に地盤強化体１１が形成されているので、土留は不要である。また、排水ピット１５を形成するための溝を地盤部分ｇ２の底面に形成し、そこに地盤強化体１１ａ’を充填形成することにより、掘削空間ｘ２の底面を平坦化する。
【００２７】
最後の第五工程では、図６（ａ）に示すように、第四工程で露出した地盤強化体１１の内側面に沿って第二の防水シート３０を配置する。具体的には、第二の防水シート３０の中央部を掘削空間ｘ２の底面上に敷き込むとともに、第二の防水シート３０の周辺部を地盤強化体１１の内側面に沿って立ち上げ、留め付ける。第二の防水シート３０の掘削空間ｘ２の底面に敷き込まれた部分は水平配置部３１となる。そして、水平配置部３１の上には、養生マット３２を敷き込む。
【００２８】
その後、図６（ｂ）に示すように、第二の防水シート３０の水平配置部３１上に敷き込んだ養生マット３２の上に、適宜の厚さで地盤強化体１１ｂ’を形成する。地盤強化体１１’には排水ピット１５を形成する。さらに図６（ｃ）に示すように、地盤強化体１１の上に基礎Ｂを構築し、図示しない一階の床躯体Ｆを構築するとともに、展示台１６を形成し、掘削空間ｘ２の内周面にモルタル、化粧ボード、メッシュシート等を用いて仕上を施して床面１２、壁面１３、天井面１４等を形成することにより、床下収納空間１０を完成させる。内装は、光触媒粒子を表面に担持した仕上層、又は光触媒粒子を表面に担持した多孔体層を含む仕上層を含むものである。また、仕上層に光が照射されるように適宜の光照射手段（フットライト１６ａ等）を設置する。第一の防水シート２０、第二の防水シート３０の上端は地盤高さＧＬよりも上の位置で基礎Ｂ等に留め付ける。
【００２９】
なお、図３（ｂ）に示すように、地盤部分ｇ１を周方向に互い違いに第一の溝孔群ｇ１１、第二の溝孔群ｇ１２に分け、まず第一の溝孔群ｇ１１だけを先行して掘削（壺掘り）してそこに地盤強化体１１を形成し、その後、第二の溝孔群ｇ１２を掘削（壺掘り）してそこに地盤強化体１１を形成し、その後に、第一の溝孔群ｇ１１と第二の溝孔群ｇ１２とに周囲側方を囲まれた地盤部分ｇ２を掘削するようにしてもよい。
【００３０】
つまり、まず第一の溝孔群ｇ１１について図４（ａ）〜図５（ｂ）の工程を行い、次に第二の溝孔群ｇ１２について同じく図４（ａ）〜図５（ｂ）の工程を行い、その後、図５（ｃ）以降の工程を行うというものである。このように、まず先行して平面視断続環状の地盤強化体を形成し、その後に先行の地盤強化体同士の間をつなげるように平面視断続環状に後続の地盤強化体を形成することにより、先行の地盤強化体と後続の地盤強化体とで平面視連続環状の地盤強化体を形成するので、地盤強化体に囲まれる領域の地盤部分ｇ２を掘削中においても有効活用でき、狭小地であっても施工が可能となる。
【００３１】
次に、本発明に係る床下収納空間の第二実施形態を説明する。
図７に示すように、本実施形態の床下収納空間１０’は、第一実施形態の床下収納空間１０のように周囲側方を地盤強化体１０で囲まれておらず、基礎Ｂに囲まれる地盤Ｇを掘削して、掘削面に仕上を施した単純な構造である点のみにおいて第一実施形態と異なる。したがって、更に低いコストで構築できる。もちろん、掘削中に掘削面が崩壊したり完成後に基礎Ｂが沈下することを防止するために、地盤Ｇを予め地盤改良しておいたり、基礎Ｂの下端辺から地盤Ｇのせん断抵抗角で延びるせん断面の上方に位置するように形成することが望ましい。その他、光触媒粒子が表面に担持された仕上層、あるいは、光触媒粒子が表面に担持された多孔体層を含む仕上層で内装されている点、仕上層に光を照射する光照射手段を備える点など、全て第一実施形態と同様である。
【図面の簡単な説明】
【００３２】
【図１】本発明に係る床下収納空間の第一実施形態を表す斜視図である。
【図２】図１の縦断面図である。
【図３】（ａ）は図１の床下収納空間の施工方法の一例を説明する模式図であり、（ｂ）は他の例を説明する模式図である。
【図４】図１の床下収納空間の施工手順を説明する断面図である。
【図５】図４に続く工程を表す断面図である。
【図６】図５に続く工程を表す断面図である。
【図７】本発明に係る床下収納空間の第二実施形態を表す縦断面図である。
【符号の説明】
【００３３】
１０    床下収納空間
１１    地盤強化体
１２    床面
１３    壁面
１４    天井面
１４ａ  ダウンライト
１５    排水ピット
１６    展示台
１６ａ  フットライト
【図１】
2005188106.tif 000003
【図２】
2005188106.tif 000004
【図３】
2005188106.tif 000005
【図４】
2005188106.tif 000006
【図５】
2005188106.tif 000007
【図６】
2005188106.tif 000008
【図７】
2005188106.tif 000009